(57)【特許請求の範囲】
【請求項１】
偏向コイルの一端に常時接続されている第１Ｓ字補正コンデンサと共に前記偏向コイルの一端に電気的に接続されることで偏向電流を調整し、入力映像信号の水平同期信号の周波数に応じて画面の直線性を改善する複数のＳ字補正コンデンサと、そのＳ字補正コンデンサに直列接続されスイッチ素子制御信号を基に前記複数のＳ字補正コンデンサの夫々を前記偏向コイルに電気的に接続する複数のスイッチ素子と、入力映像信号の水平同期信号の周波数を検出する検出手段と、前記検出した周波数に応じて水平偏向回路の発振周波数である水平周波数を切り替える水平周波数切替回路と、前記スイッチ素子の導通／非導通をスイッチ素子制御信号により制御することで前記偏向コイルに接続されるＳ字補正コンデンサを切り替えるＳ字補正コンデンサ切替回路と、前記検出手段により検出した周波数が低い周波数から高い周波数へ変化するときと、高い周波数から低い周波数へ変化するとき夫々の場合に応じ、前記水平周波数切替回路による水平周波数の切り替えと前記スイッチ素子のスイッチ素子制御信号による導通／非導通の切り替えとの時間的な前後関係が逆になるように前記水平周波数切替回路および前記Ｓ字補正コンデンサ切替回路を制御する切替タイミング制御手段とを備えたディスプレイモニタ装置のＳ字補正コンデンサ切替装置。
【発明の詳細な説明】
【０００１】
【産業上の利用分野】
この発明は、偏向コイルに接続されるＳ字補正コンデンサを入力映像信号の水平同期信号の周波数に応じて切り替えるディスプレイモニタ装置のＳ字補正コンデンサ切替装置に関するものである。
【０００２】
【従来の技術】
図１１は、ＵＳＰ  ４７０９１９３号公報に示された従来のＳ字補正コンデンサ切替装置を備えた水平偏向回路の構成を示す回路図である。図において水平偏向回路１は、水平出力トランジスタＱ１、共振コンデンサＣＲ１、ダンパダイオードＤ１、水平偏向コイルＤＹ、リニアリティコイルＬＩＮ、Ｓ字補正コンデンサＣＳ１、水平出力トランスＴ１などから構成されている。２はＳ字補正コンデンサ切替装置の一部を示し、ＣＳ２とＣＳ３は切り替え用のＳ字補正コンデンサ、Ｑ２はＳ字補正コンデンサＣＳ３を前記Ｓ字補正コンデンサＣＳ１に接続するためのスイッチ素子、Ｑ３はＳ字補正コンデンサＣＳ２をＳ字補正コンデンサＣＳ１に接続するためのスイッチ素子であり、スイッチ素子Ｑ２，Ｑ３はＦＥＴにより構成されている。Ｒ１はスイッチ素子Ｑ３のドレイン−ソース間に接続された抵抗、Ｒ２はスイッチ素子Ｑ２のドレイン−ソース間に接続された抵抗である。Ｓ１は入力映像信号の水平同期信号の周波数によりスイッチ素子Ｑ２の導通／非導通を制御するスイッチ素子制御信号、Ｓ２は入力映像信号の水平同期信号の周波数によりスイッチ素子Ｑ３の導通／非導通を制御するスイッチ素子制御信号である。３は水平周波数に応じて水平偏向回路１に供給する電圧を変化させることのできる可変電源である。
【０００３】
次に動作について説明する。入力映像信号の水平同期信号の周波数が変化するとＳ字補正コンデンサの容量を変化させて、入力映像信号の水平同期信号の周波数に応じて画面の直線性の悪化を補正する必要があるため、水平偏向回路１の広い水平周波数範囲において動作するＳ字補正コンデンサＣＳ１に夫々所定の水平周波数において前記Ｓ字補正コンデンサＣＳ１に別のＳ字補正コンデンサＣＳ２，ＣＳ３を並列接続し、夫々の水平周波数に対応して画面の直線性を補正することになる。この場合、Ｓ字補正コンデンサＣＳ２に直列に接続されたスイッチ素子Ｑ３の導通／非導通をスイッチ素子制御信号Ｓ２により、またＳ字補正コンデンサＣＳ３に直列に接続されたスイッチ素子Ｑ２の導通／非導通をスイッチ素子制御信号Ｓ１により水平周波数に応じて制御して夫々の水平周波数における画面の直線性を補正している。
【０００４】
前記スイッチ素子Ｑ２およびスイッチ素子Ｑ３のドレイン−ソース間に夫々接続されている抵抗Ｒ１，抵抗Ｒ２は、スイッチ素子Ｑ２，Ｑ３が非導通の状態で電源がオン／オフされたとき、または水平周波数が変化したときに前記スイッチ素子Ｑ２およびスイッチ素子Ｑ３のドレイン−ソース間に充電電圧が発生し、スイッチ素子Ｑ２およびスイッチ素子Ｑ３のドレインに過大な電圧が印加されることになり、スイッチ素子Ｑ２およびスイッチ素子Ｑ３を劣化させてしまう場合が生じるのを防止するために設けられており、スイッチ素子Ｑ２とスイッチ素子Ｑ３に印加される直流電圧成分を放電させ、耐圧特性の小さいスイッチ素子の使用を可能にしコストの低減を実現している。
【０００５】
【発明が解決しようとする課題】
従来のディスプレイモニタ装置のＳ字補正コンデンサ切替装置は以上のように構成されているので、スイッチ素子Ｑ２とスイッチ素子Ｑ３のドレインに発生する直流電圧成分は放電により抑制することができるが、特に電源のオンあるいはオフ時には水平出力回路の発振周波数が不安定になることから、選択されたＳ字補正コンデンサの容量値に不適合が生じているとスイッチ素子のドレインに過大な電圧が印加されスイッチとして動作するＦＥＴが破壊されてしまう場合が生じる問題点があった。
【０００６】
請求項１の発明は、水平出力トランジスタであるスイッチ素子の劣化を防止するディスプレイモニタ装置のＳ字補正コンデンサ切替装置を得ることを目的とする。
【０００７】
【課題を解決するための手段】
請求項１の発明に係るディスプレイモニタ装置のＳ字補正コンデンサ切替装置は、入力映像信号の水平同期信号の周波数を検出する検出手段と、前記検出した周波数に応じて水平偏向回路の発振周波数である水平周波数を切り替える水平周波数切替回路と、スイッチ素子の導通／非導通をスイッチ素子制御信号により制御することで前記偏向コイルに接続されるＳ字補正コンデンサを切り替えるＳ字補正コンデンサ切替回路と、前記検出手段により検出した周波数が低い周波数から高い周波数へ変化するときと、高い周波数から低い周波数へ変化するとき夫々の場合に応じ、前記水平周波数切替回路による水平周波数の切り替えと前記スイッチ素子のスイッチ素子制御信号による導通／非導通の切り替えの時間的な前後関係が逆になるように前記水平周波数切替回路および前記Ｓ字補正コンデンサ切替回路を制御する切替タイミング制御手段とを備えたものである。
【０００８】
【作用】
請求項１の発明におけるディスプレイモニタ装置のＳ字補正コンデンサ切替装置の切替タイミング制御手段は、検出した入力映像信号の水平同期信号の周波数が低い周波数から高い周波数へ変化するときと、高い周波数から低い周波数へ変化するとき夫々の場合に応じ、水平偏向回路の発振周波数の切り替えとスイッチ素子のスイッチ素子制御信号による導通／非導通の切り替えとの時間的な前後関係が逆になるように制御して、水平出力トランジスタであるスイッチ素子の劣化を防止するように作用する。
【０００９】
【発明の実施の形態】
実施例１．
図１は本実施例のディスプレイモニタ装置のＳ字補正コンデンサ切替装置の構成を示す回路ブロック図である。図１において図１１と同一または相当の部分については同一の符号を付し説明を省略する。本実施例ではスイッチ素子Ｑ２とスイッチ素子Ｑ３のドレイン−ソース間には抵抗は接続されていない。図において１１は制御手段でありマイクロコンピュータにより構成されている。１２は入力映像信号の水平同期信号を検出し計数することで水平同期信号の周波数を検出する検出手段、１３は検出手段１２により検出された水平同期信号の周波数に応じた水平偏向回路の水平周波数とスイッチ素子Ｑ２，Ｑ３の導通／非導通を設定する設定手段である。図２は、検出された水平同期信号の周波数に応じた水平周波数を設定するためのテーブルＴＬを示す説明図である。このテーブルＴＬは図示していないＲＯＭに格納されている。図１に戻り１４は判定手段であり、水平周波数が設定されたときから所定の時間が経過したか否かを判定する。本実施例では設定手段１３と判定手段１４とをソフトウェアにより実現する。また検出手段１２もソフトウェアにより実現することが可能である。１５は制御手段１１と検出手段１２とスイッチ素子Ｑ２，Ｑ３とＳ字補正コンデンサＣＳ２，ＣＳ３を備えたディスプレイモニタ装置のＳ字補正コンデンサ切替装置である。
【００１０】
１６は制御手段１１から出力される電源オン出力信号または電源オフ出力信号により水平発振回路１７の電源Ｖｃｃのオン／オフを制御することのできる電源回路である。水平発振回路１７は、制御手段１１から供給される水平周波数情報に応じた直流電圧を生成するためのフィルタ回路と、そのフィルタ回路で生成された直流電圧に応じた周波数を出力する電圧制御発振器を備えており、制御手段１１から供給される水平周波数情報により水平偏向回路１を対応する周波数で発振させるための信号を生成し、水平出力トランジスタＱ１のベース端子に供給する。
【００１１】
図３は、ディスプレイモニタ装置の電源投入時における制御手段１１の動作を示すフローチャートであり、このフローチャートにより示されるプログラムは図示していないＲＯＭに格納されている。以下、このフローチャートに基づいて電源投入時の動作を説明する。このディスプレイモニタ装置のＳ字補正コンデンサ切替装置１５では、まず外部から送られてくる電源のオンを要求する電源オン要求信号を取り込むと（ステップＳＴ１）、スイッチ素子Ｑ２およびスイッチ素子Ｑ３全てを導通させるためのスイッチ素子制御信号Ｓ１，Ｓ２をスイッチ素子Ｑ２，Ｑ３のゲート端子に出力する（ステップＳＴ２）。続くステップＳＴ３において電源オン出力信号を電源回路１６に出力する（ステップＳＴ３）。
【００１２】
このとき制御手段１１が入力映像信号の水平同期信号の周波数に応じた水平周波数情報を水平発振回路１７に出力し、また前記水平同期信号の周波数に応じたスイッチ素子制御信号を出力したとしても、電源オン直後の過渡状態であることから水平発振回路１７と水平偏向回路１は前記水平周波数情報に応じた周波数で発振しているか否かは明らかではないので、スイッチ素子Ｑ２，Ｑ３により切り替えられているＳ字補正コンデンサが実際の発振周波数に対し適合していない状態にあると考えられ、過大な電圧が印加されるスイッチ素子が存在する可能性が大きい。しかしながら本実施例では、ステップＳＴ２においてスイッチ素子Ｑ２，Ｑ３は全て導通状態にあるのでスイッチ素子Ｑ２，Ｑ３には過大な電圧が印加されることがなく、電源オン時における過大な電圧が印加されることによるスイッチ素子の劣化が防止できる。
【００１３】
すなわち、次のステップＳＴ４において検出手段１２により入力映像信号の水平同期信号の周波数を検出し、検出した周波数を基にテーブルＴＬを参照し、水平周波数情報とスイッチ素子制御信号Ｓ１，Ｓ２を読み出し、水平周波数情報を水平発振回路１７へ出力し水平偏向回路１の水平周波数を設定する（ステップＳＴ５）。この結果、水平偏向回路１は設定された水平周波数により発振を開始するので水平周波数が安定するまでの所定の時間（水平周波数を設定してから所定の時間）だけ待ち（ステップＳＴ６）、その後前記テーブルＴＬから読み出したスイッチ素子制御信号をスイッチ素子Ｑ２，Ｑ３に出力し（ステップＳＴ７）、スイッチ素子Ｑ２，Ｑ３を切り替える。
【００１４】
従って、電源オン時にはスイッチ素子Ｑ２，Ｑ３は全て導通状態にあり、またスイッチ素子Ｑ２，Ｑ３がスイッチ素子制御信号により切り替えられるときには、水平偏向回路１の水平周波数は安定しており、その水平周波数に対しスイッチ素子により切り替えられるＳ字補正コンデンサの値は現在の水平周波数に適合したものであるから非導通となるスイッチ素子には過大な電圧が印加されることがなく、電源オン時の水平周波数の過渡的な変動によりスイッチ素子に過大な電圧が印加されてスイッチ素子が劣化する現象を防止できる。
【００１５】
次に電源オフ時における制御手段（電源遮断制御手段）１１の動作について説明する。図４は、ディスプレイモニタ装置の電源遮断時における制御手段１１の動作を示すフローチャートである。このフローチャートにより示されるプログラムは、制御手段１１の図示していないＲＯＭに格納されている。
【００１６】
この電源オフ時では、水平偏向回路１の水平周波数は安定した状態にあり、この状態から電源をオフにした際の前記水平周波数の過渡的な変化によりＳ字補正コンデンサの値が不適合なものになり、過大な電圧が非導通となっているスイッチ素子に印加されて、スイッチ素子が劣化するのを防止する。
【００１７】
まず電源オフ入力、すなわちディスプレイモニタ装置の電源遮断のための電源オフ要求信号の入力を検出すると（ステップＳＴ１１）、スイッチ素子Ｑ２，Ｑ３を全て導通させるスイッチ素子制御信号Ｓ１，Ｓ２をスイッチ素子Ｑ２，Ｑ３のゲート端子に出力する（ステップＳＴ１２）。その後電源オフ出力信号を電源回路１６に出力し、水平発振回路１７の電源をオフにする（ステップＳＴ１３）。
【００１８】
この結果、電源オフに至る過渡的な状態において水平発振回路１７、水平偏向回路１の水平周波数が不安定になってもスイッチ素子はすでに導通状態になっているので、Ｓ字補正コンデンサの不適合によりスイッチ素子に過大な電圧が印加されることが防止できる。
【００１９】
実施例２．
図５は、本実施例のディスプレイモニタ装置のＳ字補正コンデンサ切替装置におけるＳ字補正コンデンサとスイッチ素子の回路接続構成を示す部分回路図である。図５において図１と同一または相当の部分については同一の符号を付し説明を省略する。図においてＱ４は、制御手段３１から出力されるスイッチ素子制御信号Ｓ３の極性を反転してスイッチ素子Ｑ２のゲート端子に供給する制御信号反転用トランジスタである。また、Ｑ５は、制御手段３１から出力されるスイッチ素子制御信号Ｓ４の極性を反転してトランジスタＱ３のゲート端子に供給する制御信号反転用トランジスタである。Ｒ３はスイッチ素子Ｑ３のドレイン端子とゲート端子間に接続された抵抗（スイッチ素子保護回路）、Ｒ４はスイッチ素子Ｑ２のドレイン端子とゲート端子間に接続された抵抗（スイッチ素子保護回路）、Ｒ５ａはトランジスタＱ５のコレクタ端子と電源Ｖａ間に接続された負荷抵抗、Ｒ６ａはトランジスタＱ４のコレクタ端子と電源Ｖａ間に接続された負荷抵抗である。本実施例の制御手段３１は入力映像信号の水平同期信号の周波数に応じて設定された水平偏向回路の水平周波数が安定した後、その水平周波数に応じてスイッチ素子Ｑ２，Ｑ３の導通／非導通を制御し、水平周波数に適合したＳ字補正コンデンサを偏向コイルに接続する。
【００２０】
次に動作について説明する。まず電源遮断時について説明する。電源遮断時にスイッチ素子Ｑ２は非導通状態であるとする。従って、スイッチ素子制御信号Ｓ３のレベルは‘Ｈ’レベル、トランジスタＱ４はオンの状態で電源が遮断される。すると制御手段３１から出力されていた‘Ｈ’レベルのスイッチ素子制御信号Ｓ３および電源Ｖａはグランドレベルに落ちるため、トランジスタＱ４はオフになり、スイッチ素子Ｑ２は非導通状態のままである。このとき水平発振回路１７と水平偏向回路１の発振状態も変化するが、このときの水平発振回路１７の出力や水平偏向回路１における偏向電流は発振を持続しながら徐々に減衰して行くものと考えられる。スイッチ素子Ｑ２は非導通であるので、この電源遮断時の過渡的な状態においてスイッチ素子Ｑ２のドレイン端子に過大な電圧が印加される状態になると、この過大な電圧はスイッチ素子Ｑ２のゲート端子に抵抗Ｒ４を介して印加され、スイッチ素子Ｑ２を導通状態にする。この結果、電源遮断時の過渡的な状態においてドレイン端子に印加される過大な電圧に対しスイッチ素子Ｑ２は保護されることになる。
【００２１】
次に、電源投入時について説明する。この場合は、電源が投入され水平発振回路１７や水平偏向回路１では発振が開始されている状態にあるにも係わらず、スイッチ素子制御信号Ｓ３は充分に‘Ｈ’レベルに立ち上がっておらず、また電源Ｖａも充分に立ち上がっていないと、トランジスタＱ４はオフ、スイッチ素子Ｑ２も非導通状態にあるため、スイッチ素子Ｑ２には過大な電圧が印加される可能性が生じるが、このような場合にもスイッチ素子Ｑ２のゲート端子には抵抗Ｒ４を介して前記電圧が印加されスイッチ素子Ｑ２を導通状態にするので、スイッチ素子Ｑ２は保護されることになる。
【００２２】
実施例３．
図６は、本実施例のディスプレイモニタ装置のＳ字補正コンデンサ切替装置におけるＳ字補正コンデンサとスイッチ素子の回路接続構成を示す部分回路図である。図６において図５と同一または相当の部分については同一の符号を付し説明を省略する。本実施例では、抵抗（スイッチ素子保護回路）Ｒ５，Ｒ６の一端がＳ字補正コンデンサＣＳ１とＳ字補正コンデンサＣＳ２とＳ字補正コンデンサＣＳ３の共通接続点に接続され、抵抗Ｒ５の他端はスイッチ素子Ｑ３のゲート端子に接続され、抵抗Ｒ６の他端はスイッチ素子Ｑ２のゲート端子に接続されている。またスイッチ素子Ｑ２のゲート端子とグランド間には定電圧ダイオードＤ２が接続され、スイッチ素子Ｑ３のゲート端子とグランド間には定電圧ダイオードＤ３が接続されている。この定電圧ダイオードＤ２，Ｄ３はスイッチ素子Ｑ２，Ｑ３のゲート端子に過大な電圧が印加されることを防ぐ目的で接続されている。
【００２３】
次に動作について説明する。まず電源遮断時について説明する。電源が遮断されるとスイッチ素子制御信号Ｓ３，Ｓ４は‘Ｈ’レベルであっても次第にグランドレベルに落ち、トランジスタＱ４，Ｑ５はオフになる。このときＳ字補正コンデンサＣＳ１，ＣＳ２，ＣＳ３の共通接続点に電圧が発生しているとこの電圧は抵抗Ｒ５，Ｒ６を介してスイッチ素子Ｑ２，Ｑ３のゲート端子に印加され、定電圧ダイオードＤ２，Ｄ３のツェナー電圧に応じた電圧値にスイッチ素子Ｑ２，Ｑ３のゲート端子の電圧値を保持し、スイッチ素子Ｑ２，Ｑ３を導通状態にする。
【００２４】
従って、電源遮断時にＳ字補正コンデンサＣＳ１，ＣＳ２，ＣＳ３の共通接続点に電圧が発生している場合、水平偏向回路では発振が持続している可能性があり、これによりスイッチ素子Ｑ２，Ｑ３に過大な電圧が印加されることになってもスイッチ素子Ｑ２，Ｑ３は導通しているので保護されることになる。
【００２５】
また、電源投入時において、スイッチ素子制御信号Ｓ３，Ｓ４が充分に‘Ｈ’レベルに立ち上がっていない状態にあっても水平偏向回路が発振を開始している限りＳ字補正コンデンサＣＳ１，ＣＳ２，ＣＳ３の共通接続点には電圧Ｖｂが発生しているのでスイッチ素子Ｑ２，Ｑ３を導通状態にすることができ、印加される可能性のある過大な電圧からスイッチ素子Ｑ２，Ｑ３を保護することが出来る。
【００２６】
実施例４．
図９は本実施例のディスプレイモニタ装置のＳ字補正コンデンサ切替装置の構成を示す回路ブロック図である。図９において図１と同一または相当の部分については同一の符号を付し説明を省略する。図において４２はスイッチ素子Ｑ２，Ｑ３の導通／非導通をスイッチ素子制御信号により制御することで偏向コイルＤＹに接続されるＳ字補正コンデンサを切り替えるＳ字補正コンデンサ切替回路、４３は検出した水平同期信号の周波数に応じて水平偏向回路の水平周波数を切り替える水平周波数切替回路、４４は検出手段１２により検出した水平同期信号の周波数が低い周波数から高い周波数へ変化するときと、高い周波数から低い周波数へ変化するとき夫々の場合に応じ、前記水平周波数切替回路４３による水平周波数の切り替えとスイッチ素子制御信号によるスイッチ素子Ｑ２，Ｑ３の導通／非導通の切り替えとの時間的な前後関係が逆になるように、前記水平周波数切替回路４３および前記Ｓ字補正コンデンサ切替回路４２を制御する切替タイミング制御手段である。
【００２７】
Ｓ字補正コンデンサの切り替えにおいては、水平周波数に応じてＳ字補正コンデンサの最適な値があり（水平周波数が低いとＳ字補正コンデンサの値は大きく、水平周波数が高いとＳ字補正コンデンサの値は小さい）、この最適な値よりもＳ字補正コンデンサの値が大きいと図７のような偏向電流が流れ、また最適な値よりもＳ字補正コンデンサの値が小さいと図８のような偏向電流が水平出力トランジスタＱ１に流れる。従って本実施例では、Ｓ字補正コンデンサの値が最適値より大きいときには水平出力トランジスタＱ１は過負荷とはならないが、Ｓ字補正コンデンサの値が最適値より小さいときには水平出力トランジスタＱ１は過負荷となる。このため水平偏向回路の水平周波数とＳ字補正コンデンサの切り替え順を制御することにより水平出力トランジスタＱ１が過負荷とならないようにする。
【００２８】
次に、動作について説明する。図１０は、本実施例のディスプレイモニタ装置のＳ字補正コンデンサ切替装置の動作を示すフローチャートである。このフローチャートによれば、まず水平周波数の変化を検出すると（ステップＳＴ２１）、検出した水平周波数が低い周波数から高い周波数へ変化したか、あるいは高い周波数から低い周波数へ変化したかを判定する（ステップＳＴ２２）。低い周波数から高い周波数へ変化したと判定したときには、水平発振回路１７の出力の発振周波数を変更し水平偏向回路の水平周波数を切り替えた後（ステップＳＴ２３）、スイッチ素子Ｑ２，Ｑ３の導通／非導通を制御することでＳ字補正コンデンサの値を変更する（ステップＳＴ２４）。一方、ステップＳＴ２２において、高い周波数から低い周波数へ変化したと判定したときには、スイッチ素子Ｑ２，Ｑ３の導通／非導通を制御することでＳ字補正コンデンサの値を変更した後（ステップＳＴ２５）、水平偏向回路１７の出力の発振周波数を変更する（ステップＳＴ２６）。
【００２９】
この結果、水平周波数の変化時において常にＳ字補正コンデンサの値は最適値よりも大きくなっており、水平出力トランジスタＱ１は過負荷とはならず、信頼性が向上する。
【００３０】
【発明の効果】
請求項１の発明によれば、検出した水平周波数が低い周波数から高い周波数へ変化するときと、高い周波数から低い周波数へ変化するとき夫々の場合に応じ、水平周波数切替回路による水平偏向回路の水平周波数の切り替えとスイッチ素子制御信号によるスイッチ素子の導通／非導通の切り替えとの時間的な前後関係が逆になるように前記水平周波数切替回路およびＳ字補正コンデンサ切替回路を制御する切替タイミング制御手段を備えるように構成したので、水平周波数変化時の水平出力トランジスタであるスイッチ素子の劣化を防止できる効果がある。
【図面の簡単な説明】
【図１】  実施例１によるディスプレイモニタ装置のＳ字補正コンデンサ切替装置を示す回路ブロック図である。
【図２】  実施例１によるディスプレイモニタ装置のＳ字補正コンデンサ切替装置におけるテーブルＴＬを示す説明図である。
【図３】  実施例１によるディスプレイモニタ装置のＳ字補正コンデンサ切替装置の動作を示すフローチャートである。
【図４】  実施例１によるディスプレイモニタ装置のＳ字補正コンデンサ切替装置の動作を示すフローチャートである。
【図５】  実施例２によるディスプレイモニタ装置のＳ字補正コンデンサ切替装置におけるＳ字補正コンデンサとスイッチ素子の回路接続構成を示す部分回路図である。
【図６】  実施例３によるディスプレイモニタ装置のＳ字補正コンデンサ切替装置におけるＳ字補正コンデンサとスイッチ素子の回路接続構成を示す部分回路図である。
【図７】  実施例４によるディスプレイモニタ装置のＳ字補正コンデンサ切替装置における水平偏向電流の発振波形を示す波形図である。
【図８】  実施例４によるディスプレイモニタ装置のＳ字補正コンデンサ切替装置における水平偏向電流の発振波形を示す波形図である。
【図９】  実施例４によるディスプレイモニタ装置のＳ字補正コンデンサ切替装置の構成を示す回路ブロック図である。
【図１０】  実施例４によるディスプレイモニタ装置の動作を示すフローチャートである。
【図１１】  ＵＳＰ  ４７０９１９３号公報に示された従来のＳ字補正コンデンサ切替装置を備えた水平偏向回路の構成を示す回路図である。
【符号の説明】
１  水平偏向回路、１１，３１  制御手段（電源遮断制御手段）、１２  検出手段、１３  設定手段、１４  判定手段、１７  水平発振回路、４２  Ｓ字補正コンデンサ切替回路、４３  水平周波数切替回路、４４  切替タイミング制御手段、ＤＹ  偏向コイル、ＣＳ１  Ｓ字補正コンデンサ（第１Ｓ字補正コンデンサ）、ＣＳ２，ＣＳ３  Ｓ字補正コンデンサ、Ｑ２，Ｑ３  スイッチ素子、Ｒ３，Ｒ４，Ｒ５，Ｒ６  抵抗（スイッチ素子保護回路）、Ｓ１，Ｓ２，Ｓ３，Ｓ４  スイッチ素子制御信号。
【図１】
0003665057.tif 000002
【図２】
0003665057.tif 000003
【図３】
0003665057.tif 000004
【図４】
0003665057.tif 000005
【図５】
0003665057.tif 000006
【図６】
0003665057.tif 000007
【図７】
0003665057.tif 000008
【図８】
0003665057.tif 000009
【図９】
0003665057.tif 000010
【図１０】
0003665057.tif 000011
【図１１】
0003665057.tif 000012